(57)【要約】      （修正有）【課題】土砂崩れ裏山の崩れから生命、住宅、財産を守ることができる防護壁、防護ダムを提供する。【解決手段】Ｈ型鋼の鉄骨の柱３の中心の１枚の鉄板７に平行してＨ型鋼の鉄骨の柱３の外側の脇に対面して２枚の鉄板８を溶接し、四角型鋼にした鉄骨の柱３、又は丸型鋼管若しくは四角型鋼管の空洞の中に縦横に編んだ筒状の鉄筋の芯９を入れ込み、生コンクリートを当該空洞の中に流し込むことにより、四角型鋼にした鉄骨の柱３、又は丸型鋼管若しくは四角型鋼管の中に鉄筋コンクリートを内蔵した四角型鋼にした鉄骨の柱３、又は丸型鋼管若しくは四角型鋼管を有する。土砂崩れに立ち向かう構造で、工期も短く、費用も少なく出来る。【選択図】図１
0003197576.tif 000002
【実用新案登録請求の範囲】
【請求項１】
Ｈ型鋼の鉄骨の柱（３）の中心の１枚の鉄板（７）に平行してＨ型鋼の鉄骨の柱（３）の外側の脇に対面して２枚の鉄板（８）を溶接し、四角型鋼にし、四角型鋼の鉄骨の柱（３）の空洞部分に縦、横、に編んだ筒状の鉄筋の芯（９）を四角型鋼の鉄骨の柱（３）の空洞の中に入れ込み、生コンクリートを四角型鋼の鉄骨の柱（３）の上部より空洞の中に流し込み、四角型鋼の鉄骨の柱（３）の中に鉄筋コンクリートを内蔵した、四角型鋼の鉄骨の柱（３）と、その外、丸型鋼管（１４）四角型鋼管（１５）も同様に鉄筋コンクリート内蔵の鉄骨の柱（３）を使用されている防護壁、防護ダム。
【請求項２】
Ｈ型鋼の鉄骨の梁（６）の中心の１枚の鉄板（７）に平行してＨ型鋼の鉄骨の梁（６）の外側の脇に対面して２枚の鉄板（８）を溶接し、四角型鋼の鉄骨の梁（６）を使用されている防護壁、防護ダム。
【請求項３】
鉄骨の柱（３）の前面に鉄骨の柱防護カバー（１０）を設置し鉄骨の柱防護カバー（１０）内を鉄筋コンクリートを内蔵した鉄骨の柱（３）を使用されている、防護壁、防護ダム。
【請求項４】
鉄骨の柱（３）と鉄骨の梁（６）との接触部分を溶接し、その溶接部分を、被せるように当て板（１１）を当てがい、溶接を使用されている、防護壁、防護ダム。
【請求項５】
鉄骨の梁（６）の根元を水平の梁（４）の先端に設置、又は、鉄骨の柱（３）に設置使用されている防護壁、防護ダム。
【請求項６】
鉄骨の柱（３）と柱（３）との間に設置している鉄板（１２）の使用する位置は、鉄骨の柱（３）と柱（３）との間を全部塞ぐ方法、又は、鉄板（１２）を上下させて、鉄骨の柱（３）と柱（３）との間の下部を開かせて使用する方法、又は、鉄骨の柱（３）より低い鉄板（１２）を設置する方法で使用されている防護壁、防護ダム。
【請求項７】
鉄骨の柱（３）と柱（３）との間に設置してある鉄板（１２）を切断解体し、下側に移動し、上側を追加して使用されている防護壁、防護ダム。
【請求項８】
鉄骨の柱（３）と柱（３）との間の鉄板（１２）を鉄骨の筋交い（１３）、鉄骨の梁（６）で補されている防護壁、防護ダム。
【請求項９】
鉄骨の梁（６）の本数を増し、鉄骨の梁（６）と梁（６）との間隔を狭めて使用されている防護壁、防護ダム。
【考案の詳細な説明】
【技術分野】
【０００１】  本考案は、土砂崩れ裏山の崩れから生命、住宅、財産を守るための防護壁、防護ダムに関するものである。
【背景技術】
【０００２】  本考案は平成２６年１２月１９日、実用新案登録出願の追加出願です。
【考案の開示】
【考案が解決しようとする課題】
【０００３】  鉄骨の防護壁使用の場合、鉄骨の柱を使用していますが、使用する鉄骨の柱の形状に違いがあります。形状としてＨ型鋼、丸型鋼管、四角型鋼管等の種類があります。それぞれの鉄骨の柱には、それぞれの欠点があります。Ｈ型鋼を防護壁の鉄骨の柱として使用する場合、土砂崩れの強力なパワーの威力の流木、石、岩、土砂等が防護壁の鉄骨の柱に当たります、当たる部分は、Ｈ型鋼の平らな部分で、平らな部分を支えているのがＨ型鋼の中心の１枚の鉄板だけです。丸型鋼管、四角型鋼管の場合、鋼管内部が空洞になっております。内部が空洞になっていると、土砂崩れの強力なパワーの威力の当たりで鋼管の鉄骨の柱は凹み、折れ曲る等、の欠点があります。
【課題を解決しようとする手段】
【０００４】  本考案を図と共に説明すれば図１のＨ型鋼の柱（３）の中心の１枚の鉄板（７）に平行して、Ｈ型鋼の鉄骨の柱（３）の外側の脇に２枚の鉄板（８）を溶接し、四角型鋼の鉄骨の柱（３）にする。そして鉄骨の柱（３）の内側は空洞になります。その空洞の内側に縦、横、に編んだ鉄筋の芯（９）を入れ込み、生コンクリートを流し込み、四角型鉄骨の柱（３）を補強する。そして防護壁に使用している鉄骨の梁（６）もＨ型鋼ですので、鉄骨の柱同様、２枚の鉄板（８）を溶接して四角型の鉄骨の梁（６）にする。
【０００５】  図２の丸型鋼管の鉄骨の柱（１４）、図３の四角型鋼管の鉄骨の柱（１５）の場合も、鉄骨の柱（１４）の凹みや折れ曲る等を補強方法としては、鋼管の鉄骨の柱（１４）、（１５）の内側内に縦、横、に編んだ筒状の鉄筋の芯（９）を入れ込み、生コンクリートを流し込む方法で補強し、各々の鉄骨の柱（３）（１４）（１５）の自重を重くし強固にし、土砂崩れに勝る様にして行く。
【０００６】  そして土砂崩れの強力なパワーの威力との戦いに防護壁が勝るには鉄骨の柱（３）を守らなければなりません。そこで鉄骨の柱（３）の前面の土砂崩れが当たる側に鉄骨の柱防護カバー（１０）の鉄板を設置し、鉄骨の柱防護カバー（１０）内を、鉄筋コンクリート内蔵で補強する。
【０００７】  そして防護壁の単独の形から単独どうしを連結して連壁にする場合には、図４のように、水平の梁（４）、斜めの梁（６）は、単独の時は水平の梁（４）の先端の下部の杭（５）の上部に接続されておりましたが単独どうし、縦の連壁組の場合、水平の梁（４）、斜めの梁（６）ともども後側の鉄骨の柱（３）に接続する。そして鉄骨の柱（３）とそれを支える鉄骨の梁（６）との接続は、ボルト、ナットのネジで締め固め、又は、鉄骨の柱（３）と鉄骨の梁（６）との接触部分を溶接し、その溶接の上から、当て板（１１）をあてがい、鉄骨の柱（３）の部分と鉄骨の梁（６）の部分を溶接してさらに溶接した部分を強固にする。そして単独の形から連壁の形にする場合は、鉄骨の梁（６）の太さは、水平の梁（４）と斜めの梁（６）を同じ太さの鉄骨の梁（６）にしても良い。
【０００８】  鉄骨の柱（３）と柱（３）との間の鉄板（１２）の補強は、鉄板（１２）の後側の鉄骨の柱（３）と柱（３）との間に鉄骨の筋交い（１３）を設置し、その交差する中央と、支持杭（５）との間に鉄骨の梁（６）を設置、鉄板（１２）を補強する。
【０００９】  鉄骨の柱（３）と柱（３）との間の鉄板（１２）の使用方法は、鉄骨の柱（３）と柱（３）との間を全部塞ぐ方法、又は、鉄骨の柱（３）と柱（３）の下部を上下させ、流木、石、岩、等を塞ぎ止め、水等を下流に流す方法。又は、鉄骨の柱（３）より低い鉄板（１２）を設置し、土砂崩れのパワーの威力を半減させる使用方法等が出来る。
【００１０】  土砂崩れが起り、防護壁が土砂、石、岩、流木、等で埋まり防護壁が不能になった場合、防護壁の機能を正常に戻すために、防護壁の裏側から、鉄骨の柱（３）と柱（３）との間の鉄板（１２）の下側半分を切断して解体し、土砂、石、岩、流木等を撤去し、撤去終了後、鉄板（１２）の上側半分を下側に移動して、設置、鉄板の上側は、半分を追加して正常の防護壁として使用する。
【００１１】  鉄骨の梁（６）の本数を増すことにより、鉄骨の梁（６）と梁（６）との間隔を狭くして、土砂、石、岩、流木、等を塞ぎ止めやすくし、又、鉄骨の梁（６）を増すことにより、防護壁が強固になり防護ダムとして使用する。
【産業上の利用可能性】
【００１２】  鉄骨の柱を打設し、立て上げ、支持杭を打設し、鉄骨の梁で組立て、土砂崩れのパワーを分解させて受け止めて耐えて、住民の生命、住宅、財産を守る防護壁、防護ダムを土砂崩れ危険区域に設置し、一日も早く安心して生活出来る様にする防護壁、防護ダムである。
【図面の簡単な説明】
【００１３】
【図１】本考案の四角型鋼の鉄骨の柱の三角型連壁平面図
【図２】本考案に丸型鋼管鉄筋コンクリート内蔵の平面図
【図３】本考案の四角型鋼管鉄筋コンクリート内蔵の平面図
【図４】本考案の斜面３０度設置の連壁断面図
【符号の説明】
【００１４】  ３、鉄骨の柱
４、水平の梁
５、支持杭
６、斜めの梁
７、Ｈ型鋼の中心の鉄板
８、２枚の鉄板
９、鉄筋の芯
１０、鉄骨の柱防護カバー
１１、当て板
１２、鉄板
１３、筋交い
１４、丸型鋼管
１５、四角型鋼管
【図１】
0003197576.tif 000003
【図２】
0003197576.tif 000004
【図３】
0003197576.tif 000005
【図４】
0003197576.tif 000006
【手続補正書】
【提出日】平成27年3月3日(2015.3.3)
【手続補正１】
【補正対象書類名】実用新案登録請求の範囲
【補正対象項目名】全文
【補正方法】変更
【補正の内容】
【実用新案登録請求の範囲】
【請求項１】
Ｈ型鋼の鉄骨の柱（３）の中心の１枚の鉄板（７）に平行してＨ型鋼の鉄骨の柱（３）の外側の脇に対面して２枚の鉄板（８）を溶接し、四角型鋼にした鉄骨の柱（３）、又は丸型鋼管（１４）若しくは四角型鋼管（１５）の空洞の中に縦横に編んだ筒状の鉄筋の芯（９）を入れ込み、生コンクリートを当該空洞の中に流し込むことにより、四角型鋼にした鉄骨の柱（３）、又は丸型鋼管（１４）若しくは四角型鋼管（１５）の中に鉄筋コンクリートを内蔵した四角型鋼にした鉄骨の柱（３）、又は丸型鋼管（１４）若しくは四角型鋼管（１５）を有する防護壁又は防護ダム。
【請求項２】
請求項１に記載の防護壁又は防護ダムにおいて、Ｈ型鋼の鉄骨の梁（６）の中心の１枚の鉄板（７）に平行してＨ型鋼の鉄骨の梁（６）の外側の脇に対面して２枚の鉄板（８）を溶接することにより四角型鋼にした鉄骨の梁（６）を更に有する防護壁又は防護ダム。
【請求項３】
請求項１に記載の防護壁又は防護ダムにおいて、鉄骨の柱（３）の前面に鉄骨の柱防護カバー（１０）を設置し鉄骨の柱防護カバー（１０）内に鉄筋コンクリートを内蔵した防護壁又は防護ダム。
【請求項４】
請求項１に記載の防護壁又は防護ダムにおいて、鉄骨の梁（６）を更に有し、鉄骨の柱（３）と鉄骨の梁（６）との接触部分を溶接し、その溶接部分に被せるように当て板（１１）を当てがった防護壁又は防護ダム。
【請求項５】
請求項１に記載の防護壁又は防護ダムにおいて、水平の梁（４）及び鉄骨の梁（６）を更に有し、鉄骨の梁（６）の根元が水平の梁（４）の先端に、又は鉄骨の柱（３）に設置されている防護壁又は防護ダム。
【請求項６】
請求項１に記載の防護壁又は防護ダムにおいて、鉄骨の柱（３）と柱（３）との間に鉄板（１２）が設置されており、鉄板（１２）は、鉄骨の柱（３）と柱（３）との間を全部塞ぐように、又は、鉄骨の柱（３）と柱（３）との間の下部が鉄板（１２）の上下により開閉できるように、又は、鉄骨の柱（３）より低くなるように設置されている防護壁又は防護ダム。
【請求項７】
請求項１に記載の防護壁又は防護ダムにおいて、鉄骨の柱（３）と柱（３）との間に鉄板（１２）が設置されており、鉄板（１２）が鉄骨の筋交い（１３）及び鉄骨の梁（６）で補強されている防護壁又は防護ダム。